(57)【要約】【課題】各インキキーの動作特性等を反映した、インキキー開度のプリセット値を取得することのできるインキキー開度プリセット値取得装置等を提供することを課題とする。【解決手段】インキキー毎に、絵柄面積率とインキキー開度特性データに基づいてインキキー開度設定値を特定し、これを補正データにより補正することによりインキキー開度プリセット値を取得する。また、インキキーの動作特性等が反映される、インキキー開度特性データに基づいて特定されるインキキー開度設定値と所定の印刷品質が得られた際のＯＫインキキー開度設定値との差分値に基づいて、補正データを適宜更新する。【選択図】図９
2012152961.tif 000002
【特許請求の範囲】
【請求項１】
複数のインキキーのインキキー開度プリセット値を当該インキキー毎に取得するインキキー開度プリセット値取得装置であって、
絵柄面積率に応じたインキキー開度設定値を特定するためのインキキー開度特性データを記憶する特性データ記憶手段と、
前記インキキー毎に、前記インキキー開度特性データに基づいて特定されるインキキー開度設定値を補正するための補正データを記憶する補正データ記憶手段と、
前記インキキー毎に前記絵柄面積率を算出する絵柄面積率算出手段と、
前記インキキー毎に、前記算出された絵柄面積率と前記インキキー開度特性データに基づいて、インキキー開度設定値を特定するインキキー開度特定手段と、
前記インキキー毎に、前記特定されたインキキー開度設定値を当該インキキーに対応する前記補正データに基づいて補正する補正手段と、
前記インキキー毎に、前記補正されたインキキー開度設定値を、前記インキキー開度プリセット値として取得するプリセット値取得手段と、
前記インキキー毎に、前記インキキー開度特性データに基づいて特定されたインキキー開度設定値と、所定の印刷品質が得られた際のＯＫインキキー開度設定値との差分値を示す差分値情報を差分値記憶手段に記録する差分値記録手段と、
前記インキキー毎に、前記差分値記憶手段に記憶された差分値情報の示す差分値に基づいて、前記補正データ記憶手段に記憶されている補正データを更新する補正データ更新手段と、
を備えることを特徴とするインキキー開度プリセット値取得装置。
【請求項２】
請求項１に記載のインキキー開度プリセット値取得装置であって、
前記差分値記録手段は、前記インキキー毎に、前記差分値情報を前記差分値記憶手段に蓄積して記録し、
前記補正データ更新手段は、前記差分値記憶手段に蓄積された少なくとも直近所定件数分の差分値情報から差分値の平均値を算出し、当該算出した平均値により補正データを更新することを特徴とするインキキー開度プリセット値取得装置。
【請求項３】
請求項１又は２に記載のインキキー開度プリセット値取得装置であって、
印刷時の温度に応じて、前記ＯＫインキキー開度設定値を基準温度にて印刷した場合の値に補正するための気温補正データを記憶する気温補正データ記憶手段、
を更に備え、
前記特性データ記憶手段は、前記基準温度における絵柄面積率に応じたインキキー開度設定値を特定するためのインキキー開度特性データを記憶し、
前記差分値記録手段は、前記インキキー毎に、前記インキキー開度特性データに基づいて特定されたインキキー開度設定値と、前記気温補正データにより補正された前記ＯＫインキキー開度設定値との差分値を示す差分値情報を差分値記憶手段に記録することを特徴とするインキキー開度プリセット値取得装置。
【請求項４】
請求項１乃至３の何れか一項に記載のインキキー開度プリセット値取得装置であって、
前記差分値記録手段は、前記差分値が閾値より大きいインキキーがある場合には、少なくとも該当するインキキーについて前記差分値情報を差分値記憶手段に記憶させないことを特徴とするインキキー開度プリセット値取得装置。
【請求項５】
複数のインキキーのインキキー開度プリセット値を当該インキキー毎に取得するインキキー開度プリセット値取得装置であって、絵柄面積率に応じたインキキー開度設定値を特定するためのインキキー開度特性データを記憶する特性データ記憶手段と、前記インキキー毎に、前記インキキー開度特性データに基づいて特定されるインキキー開度設定値を補正するための補正データを記憶する補正データ記憶手段と、を備えるインキキー開度プリセット値取得装置に含まれるコンピュータを、
前記インキキー毎に前記絵柄面積率を算出する絵柄面積率算出手段、
前記インキキー毎に、前記算出された絵柄面積率と前記インキキー開度特性データに基づいて、インキキー開度設定値を特定するインキキー開度特定手段、
前記インキキー毎に、前記特定されたインキキー開度設定値を当該インキキーに対応する前記補正データに基づいて補正する補正手段、
前記インキキー毎に、前記補正されたインキキー開度設定値を、前記インキキー開度プリセット値として取得するプリセット値取得手段、
前記インキキー毎に、前記インキキー開度特性データに基づいて特定されたインキキー開度設定値と、所定の印刷品質が得られた際のＯＫインキキー開度設定値との差分値を示す差分値情報を差分値記憶手段に記録する差分値記録手段、
前記インキキー毎に、前記差分値記憶手段に記憶された差分値情報の示す差分値に基づいて、前記補正データ記憶手段に記憶されている補正データを更新する補正データ更新手段、
として機能させることを特徴とするインキキー開度プリセット値取得プログラム。
【請求項６】
複数のインキキーのインキキー開度プリセット値を当該インキキー毎に取得するインキキー開度プリセット値取得装置であって、絵柄面積率に応じたインキキー開度設定値を特定するためのインキキー開度特性データを記憶する特性データ記憶手段と、前記インキキー毎に、前記インキキー開度特性データに基づいて特定されるインキキー開度設定値を補正するための補正データを記憶する補正データ記憶手段と、を備えるインキキー開度プリセット値取得装置により実行されるインキキー開度プリセット値取得方法であって、
前記インキキー毎に前記絵柄面積率を算出するステップと、
前記インキキー毎に、前記算出された絵柄面積率と前記インキキー開度特性データに基づいて、インキキー開度設定値を特定するステップと、
前記インキキー毎に、前記特定されたインキキー開度設定値を当該インキキーに対応する前記補正データに基づいて補正するステップと、
前記インキキー毎に、前記補正されたインキキー開度設定値を、前記インキキー開度プリセット値として取得するステップと、
前記インキキー毎に、前記インキキー開度特性データに基づいて特定されたインキキー開度設定値と、所定の印刷品質が得られた際のＯＫインキキー開度設定値との差分値を示す差分値情報を差分値記憶手段に記録するステップと、
前記インキキー毎に、前記差分値記憶手段に記憶された差分値情報の示す差分値に基づいて、前記補正データ記憶手段に記憶されている補正データを更新するステップと、
を含むことを特徴とするインキキー開度プリセット値取得方法。
【発明の詳細な説明】
【技術分野】
【０００１】
本発明は、印刷機におけるインキキー開度のプリセット値を取得するインキキー開度プリセット値取得装置等の技術分野に関する。
【背景技術】
【０００２】
まず、図１及び図２を用いてオフセット印刷機について説明する。オフセット印刷機は印刷色分の印刷ユニットＵを備えている（例えば、印刷色がＣＭＹＫの４色である場合には４台）。図１に示すように、印刷ユニットＵは、インキキー１１００、インキ元ローラ１２００、インキが溜められるインキつぼ１３００、及びチップ１５００等からなるインキキー式のインキ供給装置を備えている。インキキー１１００はブレード状の部材であり、図２に示すように印刷幅方向に複数（図２においては８つ）並置される。各インキキー１１００は、チップ１５００の上下の動作に従って矢印１１１０の方向に変位する。これに伴って、インキキー１１００のインキ元ローラ１２００に対する隙間量（インキキー開度１４００）が変位する。これにより、インキキー１１００（すなわち、インキキーによりインキが供給される領域）毎にインキ供給量を調整することができるようになっている。また、絵柄全体へのインキ供給量はインキ元ローラ１２００の回転速度を変化させることにより調整することができる。このように、印刷ユニットＵにおいては、インキキー開度１４００、又はインキ元ローラ１２００の回転速度を制御することによりインキ供給量を調整することができるようになっている。インキ供給装置から供給されたインキは、版胴、ブランケット胴を介して絵柄として紙に転写され印刷物となる。紙に付着する（盛られる）インキの厚み（膜厚）により光の吸収率が異なるため、印刷物の色調に違いがうまれる。したがって、インキ供給量（すなわち、インキキー開度１４００とインキ元ローラ１２００の回転速度）を制御することにより印刷物の色調を調整することができる。
【０００３】
インキキー開度１４００の調整は、印刷機のオペレータがオペレータ端末よりインキキー開度設定値を変更することにより行われる。印刷機毎に、基準となるインキキー開度１４００（零点と呼ぶ）が設定されており、インキキー開度１４００を零点より広げる場合にはインキキー開度設定値として「＋（プラス）」の値を設定し、一方、狭める場合には、「−（マイナス）」の値を設定すればよい。
【０００４】
オフセット印刷機においては、所望の印刷物を印刷するにあたり、本刷りを行う前に試し刷りと呼ばれる色合わせのための印刷が行われる。試し刷りは、オペレータが印刷物と色見本とを比較しながら所望の色調を得られるまで行われる。試し刷りが行われている間の印刷物は損紙として廃棄されるため、印刷用紙の無駄を削減するためにも試し刷りの量を極力少なくすることが望まれる。
【０００５】
そうした中、試し刷りを減らすための技術として、試し刷り開始時のインキキー開度設定値であるプリセット値と、所望の色調が得られた時のインキキー開度設定値であるＯＫ値との差を小さくすることを目的とする技術が多く開示されている。具体的には、例えば、インキキー毎（具体的には、インキキーによりインキが供給される領域毎）に、ＣＭＹＫの各印刷色の占める面積率（絵柄面積率）を算出し、算出した絵柄面積率と絵柄の基準濃度が得られるインキキー開度設定値の関係を実験的に求め、絵柄面積率に応じてプリセット値を求める技術が一般的に知られている。
【０００６】
また、特許文献１には、絵柄面積率とインキキー開度設定値との対応関係を示すインキキー開度特性線を参照し、絵柄面積率に基づいてインキキー開度設定値を個別にプリセットするインキキープリセット装置であって、インキキー毎に実際のＯＫ値を所定回数分記録し、当該記録したＯＫ値に基づいて新たなインキキー開度特性線を作成するインキキープリセット装置が開示されている。
【先行技術文献】
【特許文献】
【０００７】
【特許文献１】特許第４３９５２８７号公報
【発明の概要】
【発明が解決しようとする課題】
【０００８】
しかしながら、これらの技術は印刷ユニットＵにおける各インキキー１１００が正常に動作することが前提となっており、個々のインキキー１１００の動作特性などが考慮されていない。例えば、インキキー１１００の零点にズレが生じている場合や、隣り合うインキキー１１００間（例えば、図２のＢで示す部分）或いはインキキー１１００とチップ１５００との接点部分でインキが固着し、インキキー１１００の動作不良を起こしている場合、更には機構やギアのバックラッシュが発生している場合などは、設定値通りにインキキー１１００が動作せず、調整による試し刷りが増加することとなる。つまり、オペレータが、インキキー開度１４００をインキキー開度設定値「１０」分だけ変位させようとしたにもかかわらず、上記要因等により実際にはインキキー開度設定値「７」分しか変位しない場合には、インキキー１１００を無理矢理に変位させようとしてインキキー開度設定値を「１０」より大きな値に設定することなる。したがって、適切なプリセット値を取得するためには、インキキー１１００毎にこうした動作特性を考慮する必要がある。
【０００９】
本発明は、このような問題等に鑑みて為されたもので、各インキキーの動作特性等を反映した、インキキー開度のプリセット値を取得することのできるインキキー開度プリセット値取得装置等を提供することを課題とする。
【課題を解決するための手段】
【００１０】
上記課題を解決するために、請求項１に記載の発明は、複数のインキキーのインキキー開度プリセット値を当該インキキー毎に取得するインキキー開度プリセット値取得装置であって、絵柄面積率に応じたインキキー開度設定値を特定するためのインキキー開度特性データを記憶する特性データ記憶手段と、前記インキキー毎に、前記インキキー開度特性データに基づいて特定されるインキキー開度設定値を補正するための補正データを記憶する補正データ記憶手段と、前記インキキー毎に前記絵柄面積率を算出する絵柄面積率算出手段と、前記インキキー毎に、前記算出された絵柄面積率と前記インキキー開度特性データに基づいて、インキキー開度設定値を特定するインキキー開度特定手段と、前記インキキー毎に、前記特定されたインキキー開度設定値を当該インキキーに対応する前記補正データに基づいて補正する補正手段と、前記インキキー毎に、前記補正されたインキキー開度設定値を、前記インキキー開度プリセット値として取得するプリセット値取得手段と、前記インキキー毎に、前記インキキー開度特性データに基づいて特定されたインキキー開度設定値と、所定の印刷品質が得られた際のＯＫインキキー開度設定値との差分値を示す差分値情報を差分値記憶手段に記録する差分値記録手段と、前記インキキー毎に、前記差分値記憶手段に記憶された差分値情報の示す差分値に基づいて、前記補正データ記憶手段に記憶されている補正データを更新する補正データ更新手段と、を備えることを特徴とする。
【００１１】
この構成によれば、インキキー毎に、インキキー開度特性データに基づいて特定されるインキキー開度設定値と、所定の印刷品質が得られた際のＯＫインキキー開度設定値との差分値に基づいて補正データが更新される。また、インキキー毎に算出された絵柄面積率とインキキー開度特性データに基づいて特定されるインキキー開度設定値を、補正データで補正した値をインキキー開度プリセット値として取得する。「インキキー開度特性データに基づいて特定されるインキキー開度設定値と、所定の印刷品質が得られた際のＯＫインキキー開度設定値との差分値」は、オペレータがインキキー開度設定値を変更した際の操作量に当たり、インキキーの動作特性が反映されている。すなわち、各インキキーの動作特性が補正データに反映され、延いてはインキキー開度のプリセット値にも反映される。したがって、本発明によれば、各インキキーの動作特性等を反映した、インキキー開度のプリセット値を取得することができる。
【００１２】
また、請求項２に記載の発明は、請求項１に記載のインキキー開度プリセット値取得装置であって、前記差分値記録手段は、前記インキキー毎に、前記差分値情報を前記差分値記憶手段に蓄積して記録し、前記補正データ更新手段は、前記差分値記憶手段に蓄積された少なくとも直近所定件数分の差分値情報から差分値の平均値を算出し、当該算出した平均値により補正データを更新することを特徴とする。
【００１３】
この構成によれば、直近所定件数分のオペレータ操作量の平均値により補正データを更新することができる。したがって、本発明によれば、インキキー以外の原因による個別の操作量の特徴を排除し、インキキー起因による操作の補正が可能となる。
【００１４】
また、請求項３に記載の発明は、請求項１又は２に記載のインキキー開度プリセット値取得装置であって、印刷時の温度に応じて、前記ＯＫインキキー開度設定値を基準温度にて印刷した場合の値に補正するための気温補正データを記憶する気温補正データ記憶手段、を更に備え、前記特性データ記憶手段は、前記基準温度における絵柄面積率に応じたインキキー開度設定値を特定するためのインキキー開度特性データを記憶し、前記差分値記録手段は、前記インキキー毎に、前記インキキー開度特性データに基づいて特定されたインキキー開度設定値と、前記気温補正データにより補正された前記ＯＫインキキー開度設定値との差分値を示す差分値情報を差分値記憶手段に記録することを特徴とする。
【００１５】
したがって、本発明によれば、印刷時の気温が基準温度とは異なる場合であっても、ＯＫインキキー開度設定値を基準温度で印刷した場合であれば得られたと推測されるＯＫインキキー開度設定値に補正することができるので、気温の違いによる影響が排除されたＯＫインキキー開度設定値により補正データを更新することができる。
【００１６】
また、請求項４に記載の発明は、請求項１乃至３の何れか一項に記載のインキキー開度プリセット値取得装置であって、前記差分値記録手段は、前記差分値が閾値より大きいインキキーがある場合には、少なくとも該当するインキキーについて前記差分値情報を差分値記憶手段に記憶させないことを特徴とする。
【００１７】
この構成によれば、インキキーに対して閾値を超えるような操作量に対応する操作が行われた場合には、少なくとも該当するインキキーの差分値情報が差分値記憶手段に記憶されない。したがって、本発明によれば、オペレータによる例外的な操作量の操作が行われた場合に、当該操作量に基づいて補正データが更新されてしまうことを防止することができる。
【００１８】
また、請求項５に記載の発明は、複数のインキキーのインキキー開度プリセット値を当該インキキー毎に取得するインキキー開度プリセット値取得装置であって、絵柄面積率に応じたインキキー開度設定値を特定するためのインキキー開度特性データを記憶する特性データ記憶手段と、前記インキキー毎に、前記インキキー開度特性データに基づいて特定されるインキキー開度設定値を補正するための補正データを記憶する補正データ記憶手段と、を備えるインキキー開度プリセット値取得装置に含まれるコンピュータを、前記インキキー毎に前記絵柄面積率を算出する絵柄面積率算出手段、前記インキキー毎に、前記算出された絵柄面積率と前記インキキー開度特性データに基づいて、インキキー開度設定値を特定するインキキー開度特定手段、前記インキキー毎に、前記特定されたインキキー開度設定値を当該インキキーに対応する前記補正データに基づいて補正する補正手段、前記インキキー毎に、前記補正されたインキキー開度設定値を、前記インキキー開度プリセット値として取得するプリセット値取得手段、前記インキキー毎に、前記インキキー開度特性データに基づいて特定されたインキキー開度設定値と、所定の印刷品質が得られた際のＯＫインキキー開度設定値との差分値を示す差分値情報を差分値記憶手段に記録する差分値記録手段、前記インキキー毎に、前記差分値記憶手段に記憶された差分値情報の示す差分値に基づいて、前記補正データ記憶手段に記憶されている補正データを更新する補正データ更新手段、として機能させることを特徴とするインキキー開度プリセット値取得プログラムである。
【００１９】
また、請求項６に記載の発明は、複数のインキキーのインキキー開度プリセット値を当該インキキー毎に取得するインキキー開度プリセット値取得装置であって、絵柄面積率に応じたインキキー開度設定値を特定するためのインキキー開度特性データを記憶する特性データ記憶手段と、前記インキキー毎に、前記インキキー開度特性データに基づいて特定されるインキキー開度設定値を補正するための補正データを記憶する補正データ記憶手段と、を備えるインキキー開度プリセット値取得装置により実行されるインキキー開度プリセット値取得方法であって、前記インキキー毎に前記絵柄面積率を算出するステップと、前記インキキー毎に、前記算出された絵柄面積率と前記インキキー開度特性データに基づいて、インキキー開度設定値を特定するステップと、前記インキキー毎に、前記特定されたインキキー開度設定値を当該インキキーに対応する前記補正データに基づいて補正するステップと、前記インキキー毎に、前記補正されたインキキー開度設定値を、前記インキキー開度プリセット値として取得するステップと、前記インキキー毎に、前記インキキー開度特性データに基づいて特定されたインキキー開度設定値と、所定の印刷品質が得られた際のＯＫインキキー開度設定値との差分値を示す差分値情報を差分値記憶手段に記録するステップと、前記インキキー毎に、前記差分値記憶手段に記憶された差分値情報の示す差分値に基づいて、前記補正データ記憶手段に記憶されている補正データを更新するステップと、を含むことを特徴とするインキキー開度プリセット値取得方法である。
【発明の効果】
【００２０】
本発明によれば、インキキーの動作特性が反映される、オペレータがインキキー開度設定値を変更した際の操作量に基づいて補正データが更新される。すなわち、各インキキーの動作特性が補正データに反映され、延いてはインキキー開度のプリセット値にも反映される。したがって、各インキキーの動作特性等を反映した、インキキー開度のプリセット値を取得することができる。
【図面の簡単な説明】
【００２１】
【図１】オフセット印刷機における印刷ユニットの略図である。
【図２】複数のインキキーとインキ元ローラの位置関係を説明するための略図である。
【図３】オフセット輪転印刷システムの概略構成を示す図である。
【図４】オペレータ端末の概要構成を示すブロック図である。
【図５】インキキー開度特性データの一例を示す図である。
【図６】インキキーに応じて画像を分割する際の一例を示す図である。
【図７】設定履歴データの一例を示す図である。
【図８】補正値データの一例を示す図である。
【図９】オペレータ端末の制御部による印刷時処理の一例を示すフローチャートである。
【図１０】温度と印刷物に付着されたインキの膜厚との関係の一例を示す図である。
【発明を実施するための形態】
【００２２】
以下、図面を参照して本発明の実施形態について説明する。なお、以下に説明する実施の形態は、オフセット輪転印刷システムＳにおいて本発明を適用した場合の実施形態である。なお、本実施形態において、オフセット輪転印刷システムＳに含まれる印刷機が備える印刷ユニットについては、図１を用いて説明した印刷ユニットＵと同様の構成を有するので、図１で用いた符号と同じ符号を用いて説明する。
【００２３】
図３は、本発明の一実施形態にかかるオフセット輪転印刷システムＳの概略構成を示す図である。オフセット輪転印刷システムＳは、印刷機Ｐとオペレータ端末１を含んで構成される。
【００２４】
印刷機Ｐは、多色刷りの印刷機であり、インキ色（Ｃ（シアン）、Ｍ（マゼンタ）、Ｙ（イエロー）、Ｋ（ブラック））ごとに、印刷ユニットＵ１〜Ｕ４が設けられている。基本的には、印刷ユニットＵ１がＫ、印刷ユニットＵ２がＣ、印刷ユニットＵ３がＭ、印刷ユニットＵ４がＹに対応しているが、印刷する絵柄や色によっては各印刷ユニットＵが担当する色が異なる場合もある。
【００２５】
各印刷ユニットＵは、図１を用いて上述したように複数のインキキー１１００とインキ元ローラ１２００等からなるインキキー式のインキ供給装置を備えている。各印刷ユニットＵの各インキキー１１００にはそれぞれキーＮＯが振られており、キーＮＯが同じであるインキキー１１００は紙面における同じ領域の印刷を行うようになっている。また、本実施形態に係る印刷機Ｐは両面印刷機のため、各印刷ユニットＵは、紙の搬送経路を挟むように１対のブランケット胴（上胴、下胴）が備えられ、各ブランケット胴に対して版胴（上胴、下胴）及びインキ供給装置（上胴側、下胴側）が設けられている。
【００２６】
オペレータ端末１は、オペレータによる入力操作等に基づいて印刷機Ｐを制御するための印刷機制御情報を生成し、印刷機Ｐに送信する。印刷機制御情報には、各インキキー１１００のインキキー開度１４００（すなわち、インキ供給量）を制御するためのインキキー開度設定値を示すインキキー開度制御情報や、インキ元ローラの回転速度を制御するための回転速度設定値を示す回転速度制御情報、引率（用紙搬送時の紙に引っ張り度合いを示す）を制御するための引率設定値を示す引率制御情報等が含まれる。
【００２７】
オペレータ端末１は、各印刷ユニットＵのインキキー１１００毎に、絵柄面積率に応じてインキキー開度設定値を規定したインキキー開度特性データに基づいてインキキー開度設定値を特定する。また、インキキー１１００の動作特性が反映されるのは、オペレータがインキキー開度設定値を変位させた量（インキキー開度操作量）であるとの視点に立ち、本実施形態のオペレータ端末１は、インキキー開度操作量に基づく補正値データによりインキキー開度設定値を補正し、インキキー開度制御情報として印刷機Ｐに送信するプリセット値を取得する（プリセット値はインキキー開度特性データに基づいて特定されるインキキー開度設定値を補正値データによって補正した値である）。より具体的には、オペレータ端末１は、インキキー開度特性データに基づいて特定されたインキキー開度設定値とＯＫ値（所定の印刷品質が得られた際のインキキー開度設定値）との差分であるインキキー開度操作量に基づいて補正値データを適宜更新し、また、当該補正値データによりインキキー開度設定値を補正してプリセット値を取得する。これにより、インキキー１１００の動作特性による影響を排除して、インキキー開度特性データに基づくインキキー開度設定値に応じたインキキー開度１４００が得られるようになる。
【００２８】
次に、図４を用いて、本実施形態にかかるオペレータ端末１を構成する各部の構造及び機能について説明する。
【００２９】
図４は、本発明のオペレータ端末１の概要構成を示すブロック図である。図４に示すようにオペレータ端末１は、制御部１１と、記憶部１２と、表示部１３と、操作部１４と、印刷機Ｐとの通信を行うための通信部１５と、を備えて構成されており、制御部１１、記憶部１２、表示部１３、操作部１４、通信部１５はバスを介して相互に接続されている。
【００３０】
制御部１１は、演算機能を有するＣＰＵ（Central Processing Unit）１１ａ、ＲＯＭ（Read Only Memory）１１ｂ、作業用のＲＡＭ（Random Access Memory）１１ｃ、及び図示しない発振回路等を備えて構成されており、操作部１４からの操作信号に基づいて、当該操作信号に含まれている操作情報に対応する動作を実現すべく上記各構成部材を制御するための情報を生成し、バスを介して当該情報を該当する構成部材に出力して当該各構成部材の動作を統轄制御する。
【００３１】
また、制御部１１は、記憶部１２等に記憶された各種制御プログラムを実行することにより、本発明の絵柄面積率算出手段、インキキー開度特定手段、補正手段、プリセット値取得手段、差分値記録手段及び補正データ更新手段として機能する。
【００３２】
記憶部１２は、インキキー開度特性データ１２１、補正値データ１２２、設定履歴データ１２３、及び各種設定情報等を記憶する。なお、記憶部１２は、本発明の特性データ記憶手段、補正データ記憶手段、及び差分値記憶手段の一例である。
【００３３】
また、記憶部１２は、本発明のインキキー開度プリセット値取得プログラムを含む各種制御プログラムやデータ等を記憶する。各種プログラム等は、例えば、他のサーバ装置等からネットワークを介して取得されるようにしても良いし、記録媒体に記録されてドライブ装置を介して読み込まれるようにしても良い。すなわち、記憶部１２に記憶される本発明のインキキー開度プリセット値取得プログラムは、ネットワークを介して伝送可能であるし、また、コンピュータ読み取り可能な記録媒体に記録して譲渡することが可能である。
【００３４】
表示部１３は、液晶ディスプレイ等により構成され、製版データや、操作画面、設定画面等の各種画面を表示する。オペレータは、設定画面にて、インキキー開度設定値、インキ元ローラの回転速度の設定値、引率の設定値、紙情報（例えば、紙の種類、紙の幅、斤量など、紙に関する情報）、インキ情報（例えば、インキの種類など、インキに関する情報）、乾燥温度の設定値などを設定することができる。制御部１１は、設定画面より設定された各種情報は記憶部１２に記憶させるとともに、その一部の情報を制御情報として印刷機Ｐに送信する。また、製版データは、オペレータ端末１に接続されたプリンタにて出力することができるようになっている。
【００３５】
次に、図５及び図６を用いてインキキー開度特性データ１２１について説明する。図５に示すようにインキキー開度特性データ１２１は、絵柄面積率に対応するインキキー開度設定値を特定するためのデータであり、本実施形態においては紙の種類毎に記憶部１２に記憶されている。紙の種類毎にインキキー開度特性データ１２１を記憶させるのは、紙の種類によってインキの浸透率が異なり同量のインキで印刷した場合であっても色調が異なるためである。なお、インキの種類によっても色調が異なる場合があるので、更にインキの種類毎にインキキー開度特性データ１２１を設定することとしてもよい。
【００３６】
絵柄面積率とは、図６に示すように、製版データ２００を印刷幅方向（ローラの軸方向）に分割して得られる分割領域２００ａ〜２００ｈ毎に算出される値である。分割領域２００ａ〜２００ｈは、各インキキー１１００に対応して設定される（図６は、各印刷ユニットＵに８つのインキキーが設けられている場合の例である）。絵柄面積率は、各分割領域２００ａ〜２００ｈにおいて、対象の色が付される領域（絵柄領域）の占める割合である。対象の色とは、例えば、Ｃ（シアン）に対応する印刷ユニットＵにおけるインキキー１１００の場合であればＣ（シアン）となる。分割領域の数に４（Ｃ、Ｍ、Ｙ、Ｋの４色）を乗算した数分（図６の例では、８領域×４色＝３２）の絵柄面積率が算出される。なお、絵柄面積率の算出方法は公知の算出方法を用いることができ、本実施形態のように制御部１１がデジタルの製版データから演算によって算出する算出方法を採用することができる。なお、オペレータ端末１の初期状態（出荷時）には実験的に求められたインキキー開度特性データ１２１が記録されている。
【００３７】
制御部１１は、記憶部１２に記憶された複数のインキキー開度特性データ１２１の中から、設定画面より設定された紙種に対応するインキキー開度特性データ１２１を選択し、この選択したインキキー開度特性データ１２１と、分割領域２００ａ〜２００ｈ毎に算出される絵柄面積率とに基づいて、各インキキー１１００のインキキー開度設定値を特定する。
【００３８】
次に、図７を用いて設定履歴データ１２３について説明する。まず、設定履歴データ１２３が記憶部１２に記録されるまでの流れについて説明する。試し刷りにおいて、オペレータはプリセット値で所望の色調が得られなかった場合、オペレータ端末１よりインキキー開度設定値を変更して色調を調整する。そして、オペレータは所望の色調が得られたとき（「ＯＫ時」という）には、所定のＯＫ操作（例えば、操作画面におけるＯＫボタンをクリックする操作）を行う。制御部１１はＯＫ操作を検出すると、設定履歴データ１２３を記憶部１２に記憶させる。
【００３９】
図７に示すように、設定履歴データ１２３は条件情報とインキキー情報とからなる。条件情報は、ＯＫ時におけるインキ元ローラの回転速度の設定値、引率の設定値、紙情報（例えば、紙の種類、紙の幅、斤量）、インキ情報（例えば、インキの種類）、印刷機Ｐが設置されている室内の温度、乾燥温度の設定値などの情報からなる。一方、インキキー情報は、各印刷ユニットＵ（印刷ユニットＮＯで識別される）におけるインキキー１１００毎の、絵柄面積率（インキキーに対応する分割領域２００の絵柄面積率）、インキキー開度設定値（インキキー開度特性データ１２１に基づいて特定されたインキキー開度設定値）、ＯＫ値、インキキー開度操作量（インキキー開度特性データ１２１に基づいて特定されたインキキー開度設定値とＯＫ値の差分）などの情報からなる。なお、インキキー開度操作量は、インキキー開度特性データ１２１に基づいて特定されたインキキー開度設定値とＯＫ値の単純な差分値ではなく、「＋」又は「−」の方向を持つ値、すなわち、オペレータが「＋」或いは「−」の方向にどれだけインキキー開度設定値を変位させたかを示す値である。例えば、インキキー開度特性データ１２１に基づいて特定されたインキキー開度設定値が「＋５」であり、ＯＫ値が「−５」である場合には、インキキー開度操作量は「−１０」となり、また、インキキー開度特性データ１２１に基づいて特定されたインキキー開度設定値が「−５」であり、ＯＫ値が「＋５」である場合には、インキキー開度操作量は「＋１０」となる。また、インキキー開度操作量は、インキキー開度特性データ１２１に基づいて特定されたインキキー開度設定値とＯＫ値から算出することができるためインキキー情報に含めず、必要に応じてインキキー開度特性データ１２１に基づいて特定されたインキキー開度設定値とＯＫ値とから算出することとしてもよい。
【００４０】
なお、設定履歴データ１２３は、記憶部１２にて上書き更新されるのではなく蓄積される（蓄積件数に上限を設け、古いデータから削除することとしてもよい）。後述するように蓄積された設定履歴データ１２３はインキキー開度特性データ１２１や補正値データ１２２を更新する際に用いられる。
【００４１】
次に、制御部１１が、インキキー開度特性データ１２１を、記憶部１２に蓄積された設定履歴データ１２３に基づいて更新する際の処理について説明する。インキキー開度特性データ１２１の更新は、絵柄面積率毎に行なわれる。例えば、直近に蓄積された設定履歴データ１２３のインキキー情報に含まれる絵柄面積率が、４つの絵柄面積率５，１５，２０，４０％のみであった場合には、インキキー開度特性データ１２１の更新は、絵柄面積率５，１５，２０，４０％の部分についてのみ行なわれる。
【００４２】
ここで、インキキー開度特性データ１２１における絵柄面積率５％の部分を更新する場合について説明する。制御部１１は、蓄積された設定履歴データ１２３の中から絵柄面積率が５％であった際のすべてのＯＫ値（直近のＯＫ値を含む）から得られる平均値が、絵柄面積率が５％である際のインキキー開度設定値となるように、インキキー開度特性データ１２１を更新する。すなわち、制御部１１は、絵柄面積率が同じである過去のＯＫ値と直近のＯＫ値の平均値に基づいて、インキキー開度特性データ１２１を更新する。なお、絵柄面積率を細かく（例えば、小数点以下まで）算出すると、同じ絵柄面積率の設定履歴データ１２３が重複する可能性が低いので、小数点以下は四捨五入するなどしてある程度の幅を持たせて絵柄面積率を算出するとよい。
【００４３】
次に、補正値データ１２２について説明する。補正値データ１２２は、インキキー開度特性データ１２１に基づいて特定されたインキキー開度設定値を補正するためにインキキー１１００毎に記憶されるデータである。また、補正値データ１２２は、インキキー開度特性データ１２１と同様に紙種毎に記憶される（更にインキ種毎に記憶することとしてもよい）。上述したように、様々な機械的要因によりインキキー１１００の動作量が制御側で意図した動作量よりも小さい場合、オペレータはインキキー１１００の動作量を大きくしようとするため、インキキー開度操作量が大きくなる。そこで、制御部１１は、蓄積された設定履歴データ１２３に含まれるインキキー開度操作量に基づいて、インキキー１１００毎に補正値データ１２２を更新する一方、試し刷り時には、インキキー１１００毎に、インキキー開度特性データ１２１に基づいて取得されたインキキー開度設定値に補正値データ１２２を加算することにより、動作量が適正でないインキキー１１００についても正常時と同じインキキー開度１４００が得られるようにしている。
【００４４】
図８は、キーＮＯにより識別されるインキキー１１００毎の補正値データ１２２を図示したものである。なお、図８は、一の印刷ユニットＵに２９個のインキキー１１００が設けられている場合を示している。図８の例では、キーＮＯ「１」、「２」、「５」、「２８」、「２９」のインキキー１１００について補正値データ１２２が「０」となっており、インキキー１１００が正常に動作していることを示している。一方、キーＮＯ「２２」、「２４」、「２５」のインキキー１１００については補正値データ１２２が「５」以上となっている。これは、インキキー１１００が正常に動作しないため（インキキー１１００の動作量が正常時より小さいため）、オペレータのインキキー開度操作量が大きくなっていることを示している。これらのインキキー１１００のように、補正値データ１２２が「０」でないインキキー１１００については、インキキー開度特性データ１２１に基づいて特定されたインキキー開度設定値に補正値データ１２２が加算されて、適切なインキキー開度１４００が得られるようになっている。
【００４５】
次に、制御部１１が、補正値データ１２２を設定履歴データ１２３に基づいて更新する際の処理について説明する。補正値データ１２２の更新は、インキキー１１００毎に、オペレータによるＯＫ操作がなされる都度行なわれる。具体的には、制御部１１は、ＯＫ操作が検出されると、インキキー１１００毎に、蓄積されたすべての設定履歴データ１２３に含まれるインキキー開度操作量（直近ＯＫ時のインキキー開度操作量を含む）から得られる平均値により補正値データ１２２を更新する。すなわち、制御部１１は、インキキー１１００毎に、過去のインキキー開度操作量と直近のインキキー開度操作量の平均値に基づいて、新たな補正値データ１２２を算出する。なお、平均値を算出する際には、蓄積された設定履歴データ１２３のうち、直近所定件数分の設定履歴データ１２３に基づいて平均値を算出することとしてもよい。所定件数は、任意の値とすることができ、１件（すなわち、最新の設定履歴データ１２３のみ）から算出することとしてもよく、この場合は平均値ではなく、最新のインキキー開度操作量が更新後の補正値データ１２２となる。
【００４６】
次に、図９のフローチャートを用いて、オペレータ端末１の制御部１１による印刷時処理について説明する。なお、印刷時処理は、印刷ユニットＵ（すなわち、印刷色Ｃ、Ｍ、Ｙ、Ｋ）毎に行われる。また、印刷時処理はオペレータによる試し刷り開始操作が検出されることにより開始する。
【００４７】
まず、オペレータ端末１の制御部１１は、製版データに基づいて、インキキー１１００毎に絵柄面積率を算出する（ステップＳ１）。次いで、制御部１１は、インキキー１１００毎に、ステップＳ１の処理で算出した絵柄面積率と、記憶部１２に記憶されているインキキー開度特性データ１２１に基づいてインキキー開度設定値を特定する（ステップＳ２）。次いで、制御部１１は、インキキー１１００毎に、補正値データ１２２を取得して、ステップＳ２の処理で特定したインキキー開度設定値に加算することによりプリセット値を取得する（ステップＳ３）。
【００４８】
次に、制御部１１は、ステップＳ３の処理で取得した各インキキー１１００のプリセット値を示すインキキー開度制御情報を含む試し刷り開始指示情報を印刷機Ｐに送信する（ステップＳ４）。これにより、印刷機Ｐは、受信した試し刷り開始指示情報に含まれるインキキー開度制御情報の示すプリセット値に従って、各インキキー１１００のインキキー開度１４００を制御して、試し刷りを行う。
【００４９】
次に、オペレータは、印刷機Ｐで試し刷りされた印刷物と、所望の色調が表された色見本とを比較する。このとき、オペレータは、印刷物の色調が所望の色調と一致すると判断した場合には、ＯＫ操作を操作部１４より行う。一方、印刷物の色調が所望の色調と一致しないと判断した場合には、インキキー開度設定値を変更するインキキー１１００のキーＮＯと、変更後のインキキー開度設定値を操作部１４より入力する。オペレータは、印刷物の色調が所望の色調となるまでインキキー開度設定値（インキキー開度１４００）の調整、及び試し刷りを繰り返す。
【００５０】
一方、オペレータ端末１の制御部１１は、ステップＳ４の処理後、オペレータによるＯＫ操作又はインキキー開度設定値の変更指示が入力されるまで待機している（ステップＳ５：ＮＯ、ステップＳ６：ＮＯ）。制御部１１は、インキキー開度変更指示が入力されたと判定した場合には（ステップＳ６：ＹＥＳ）、入力されたキーＮＯで識別されるインキキー１１００のインキキー開度設定値を、入力されたインキキー開度設定値に従って変更（設定）し（ステップＳ７）、再度、試し刷り開始指示情報を印刷機Ｐに送信する（ステップＳ４）。
【００５１】
また、制御部１１は、ＯＫ操作が入力されたと判定した場合には（ステップＳ５：ＹＥＳ）、ＯＫ操作が入力された際の各インキキー１１００のインキキー開度設定値（ＯＫ値）を取得する（ステップＳ８）。次いで、制御部１１は、インキキー１１００毎に、ステップＳ２の処理で特定したインキキー開度設定値と、ステップＳ８の処理で取得したインキキー開度設定値（ＯＫ値）の差分をインキキー開度操作量として算出する（ステップＳ９）。
【００５２】
次に、制御部１１は、算出したインキキー開度操作量が所定の閾値より大きいか否かを判定する（ステップＳ１０）。具体的には、インキキー開度操作量が所定の閾値より大きいインキキー１１００の数が所定数以上あるか否かを判定する。この処理は、例外的なインキキー開度１４００の調整操作が行われた場合については、設定履歴データ１２３を保存しないための処理である。例えば、印刷物の印刷依頼者から通常より濃い目の印刷をして欲しいなどの特別な依頼があった場合には、通常より大きなインキキー開度１４００にて印刷を行うこととなるが、こういった例外的な調整操作が行われた場合については後述するステップＳ１１〜ステップＳ１３の処理を行わないようにしている。したがって、所定の閾値としては、例外的な調整操作であるか否かを判定できるような値が設定される。また、所定数も「１」や、全インキキー数の半分の数、全インキキー数など、を任意に設定することができる。なお、ステップＳ１０の条件を満たす場合のほか、オペレータが設定履歴データ１２３として保存すべきでないと判断し、操作部１４より所定の除外操作を入力した場合にも、ステップＳ１１〜ステップＳ１３の処理を行わないようにしてもよい。このようにすることにより、インキキー開度特性データ１２１、及び補正値データ１２２が例外的なインキキー開度操作量により歪められて更新されてしまうことを防止できる。
【００５３】
制御部１１は、インキキー開度操作量が所定の閾値より大きいと判定した場合には（ステップＳ１０：ＹＥＳ）、印刷時処理を終了する。一方、制御部１１は、インキキー開度操作量が所定の閾値より大きくないと判定した場合には（ステップＳ１０：ＮＯ）、設定履歴データ１２３を記憶部１２に登録する（ステップＳ１１）。次いで、制御部１１は、記憶部１２に記憶されている設定履歴データ１２３に基づいてインキキー開度特性データ１２１を更新する（ステップＳ１２）。次いで、制御部１１は、記憶部１２に記憶されている設定履歴データ１２３に基づいて補正値データ１２２を更新して（ステップＳ１３）、印刷時処理を終了する。
【００５４】
以上説明したように、本実施形態のオペレータ端末１の記憶部１２は、絵柄面積率に応じたインキキー開度設定値を特定するためのインキキー開度特性データ１２１を記憶し、インキキー１１００毎に、インキキー開度特性データ１２１に基づいて特定されるインキキー開度設定値を補正するための補正値データ１２２（本発明の「補正データ」の一例）を記憶する。また、制御部１１は、インキキー１１００毎に絵柄面積率を算出し、インキキー１１００毎に、算出した絵柄面積率とインキキー開度特性データ１２１に基づいて、インキキー開度設定値を特定し、インキキー１１００毎に、当該特定したインキキー開度設定値を当該インキキー１１００に対応する補正値データ１２２に基づいて補正し、インキキー１１００毎に、補正したインキキー開度設定値を、プリセット値（本発明の「インキキー開度プリセット値」の一例）として取得する。更に、制御部１１は、インキキー１１００毎に、インキキー開度特性データ１２１に基づいて特定したインキキー開度設定値と、ＯＫ時（所定の印刷品質が得られた際）のＯＫ値（本発明の「ＯＫインキキー開度設定値」の一例）との差分値を示すインキキー開度操作量（本発明の「差分値情報」の一例）を記憶部１２に記録し、インキキー１１００毎に、記憶部１２に記憶させたインキキー開度操作量に基づいて、補正値データ１２２を更新する。
【００５５】
本実施形態のオペレータ端末１によれば、インキキー１１００毎にインキキー開度特性データ１２１に基づいて特定されたインキキー開度設定値とＯＫ値との差分値であるインキキー開度操作量に基づいて補正値データ１２２が更新される。また、インキキー１１００毎に算出された絵柄面積率とインキキー開度特性データ１２１に基づいて特定されるインキキー開度設定値を、補正値データ１２２で補正した値をプリセット値として取得する。インキキー開度操作量は、オペレータがインキキー開度設定値を変更した際の操作量を示しており、インキキー１１００の動作特性が反映されている。すなわち、各インキキー１１００の動作特性が補正値データ１２１に反映され、延いてはプリセット値にも反映される。したがって、各インキキー１１００の動作特性等を反映した、プリセット値を取得することができる。
【００５６】
また、オペレータ端末１の制御部１１は、インキキー１１００毎に、インキキー開度操作量を記憶部１２に蓄積して記憶させ、記憶部１２に蓄積された少なくとも直近所定件数分のインキキー開度操作量からインキキー開度操作量の平均値を算出し、当該算出した平均値により補正値データ１２２を更新する。これにより、インキキー以外の原因による個別のインキキー開度操作量の特徴を排除し、インキキー起因による操作の補正が可能となる。
【００５７】
また、オペレータ端末１の制御部１１は、インキキー開度操作量が閾値より大きいインキキー１１００の数が所定数以上ある場合には、全てのインキキー１１００についてインキキー開度操作量を記憶部１２に記憶させない。これにより、所定数以上のインキキー１１００についてインキキー開度操作量が閾値を超えるような操作が行われた場合には、インキキー開度操作量が記憶部１２に記憶されない。したがって、オペレータによる例外的な操作が行われた場合に、その際のインキキー開度操作量に基づいて補正値データ１２１が更新されてしまうことを防止することができる。
【００５８】
なお、これまでは印刷機Ｐが設置されている場所の気温（具体的には、試し刷り開始時或いはＯＫ時におけるインキキー１１００付近の気温）がほぼ同じ温度であることを前提として説明してきたが、実際には同じ色調の印刷物を印刷する場合であってもその場所の気温によりＯＫ値は変化する。図１０は温度と印刷物に付着されたインキの膜厚との関係を示す図である。図９は、温度が高くなるほどインキ膜厚が薄くなることを示している。つまり、気温が高ければインキの粘度が低下してインキ膜厚が薄くなるので、オペレータはインキキー開度設定値を通常時（気温が基準温度（例えば、24℃）の時）よりも上げる（インキキー開度１４００を広げる）ことから、ＯＫ値も大きくなると考えられる。
【００５９】
そこで、実験的に気温とインキキー開度調整量との相関から導出される気温補正データ（本発明の「気温補正データ」の一例）を求めて、記憶部１２（本発明の「気温補正データ記憶手段」の一例）に記憶させておく。そして、制御部１１が、ＯＫ値を設定履歴データ１２１の一部として記録する際には、気温補正データによりＯＫ値を補正することとしてもよい。気温補正データは、基準温度より気温が高い場合にはＯＫ値を大きくする値となり、一方、基準温度より気温が低い場合にはＯＫ値を小さくする値となる。例えば、「気温補正データ＝0.1×基準温度の差分値」という式により気温補正データを求めることができる。これにより、異なる気温の下、印刷が行われた場合であっても、基準となる気温の下で印刷されれば得られたと推測されるＯＫ値を、設定履歴データ１２１の一部として記録しておくことができるので、気温の違いによる影響を排除したインキキー開度操作量により補正値データ１２２を更新することができる。なお、インキキー開度特性データ１２１は、基準温度にて印刷する場合における絵柄面積率とインキキー開度設定値について規定するものとする。
【００６０】
また、インキ膜厚は、インキキー開度１４００だけでなくインキ元ローラ１２００の回転速度の影響を受けるため、インキ元ローラ１２００の回転速度が異なれば、絵柄面積率が同じであってもＯＫ時のインキキー開度設定値を補正する必要がある。そこで、制御部１１は、このようなインキ元ローラ１２００の回転速度の影響を排除したＯＫ値（基準となる回転速度で印刷されれば得られたと推測されるＯＫ値）を取得するため、ＯＫ値に、実験的に求められる補正係数を乗じて補正した補正済みＯＫ値を算出し、インキキー情報の一部として記録することが好ましい。
【００６１】
また、本実施形態においては、インキキー開度操作量が所定の閾値より大きいインキキー１１００の数が所定数以上ある場合（ステップＳ１０：ＹＥＳ）には、設定履歴データ１２３を記憶部１２に記憶させないこととしているが、インキキー開度操作量が所定の閾値より大きいインキキー１１００についてのみ設定履歴データ１２３を記憶部１２に記憶させないこととするとともに、インキキー開度操作量が所定の閾値より大きくないインキキー１１００については設定履歴データ１２３を記憶部１２に記憶させることとしてもよい。
【符号の説明】
【００６２】
１  オペレータ端末
１１  制御部
１２  記憶部
１２１  インキキー開度特性データ
１２２  補正値データ
１２３  設定履歴データ
１３  表示部
１４  操作部
１５  通信部
Ｐ  印刷機
Ｕ１〜Ｕ４  印刷ユニット
１１００  インキキー
１２００  インキ元ローラ
１３００  インキつぼ
１４００  インキキー開度
Ｓ  オフセット輪転印刷システム
【図１】
2012152961.tif 000003
【図２】
2012152961.tif 000004
【図３】
2012152961.tif 000005
【図４】
2012152961.tif 000006
【図５】
2012152961.tif 000007
【図６】
2012152961.tif 000008
【図７】
2012152961.tif 000009
【図８】
2012152961.tif 000010
【図９】
2012152961.tif 000011
【図１０】
2012152961.tif 000012